(57)【要約】姓名の画数と生まれ年の十二支を組み合わせることによって正確で且つ多様な姓名診断ができる姓名判断パラメータに関する計算装置を利用した計算装置の動作方法を提供する。る画数演算手段及び基本数演算手段と、十二支配列テーブルを記憶する記憶手段と、前記の十二支配列テーブルに姓名判断パラメータを配置・保存する制御手段と、前記の姓名判断パラメータを出力する出力手段とを備えた姓名判断パラメータに関する計算装置の動作方法であって、前記入力手段によって入力された姓名情報から各画数を計算する画数演算ステップと、１〜９の整数からなる基本数に変換して姓名判断パラメータを得る基本数変換ステップと、入力された生年月日に対応する十二支配列テーブルを選択する十二支配列選択ステップと、前記の選択された十二支配列テーブルに姓名判断パラメータを配置・保存するステップと、前記の姓名判断パラメータを出力するステップを備える。
2004025536.tif 000002
【特許請求の範囲】
【請求項１】
姓名情報及び生年月日情報を入力する入力手段と、
前記姓名情報及び生年月日情報から各種の姓名判断パラメータを計算する画数演算手段及び基本数演算手段と、
十二支配列テーブルを記憶する記憶装置及び十二支配列選択手段と、
前記の十二支配列テーブルの所定位置に姓名判断パラメータを配置・保存する制御手段と、
前記の姓名判断パラメータを出力する出力手段と、
を備えた姓名判断パラメータに関する計算装置の動作方法であって、
前記画数演算手段が入力手段によって入力された姓名情報から各画数を計算する画数演算ステップと、
前記基本数演算手段が前記の各画数を１〜９の整数からなる基本数に変換して姓名判断パラメータを得る基本数変換ステップと、
前記十二支配列選択手段が記憶装置に記憶されている十二支配列テーブルを読み出し、入力された生年月日に対応する十二支配列テーブルを選択する十二支配列選択ステップと、
前記制御手段が選択された十二支配列テーブルに、前記基本数変換ステップで得られた姓名判断パラメータを配置・保存するステップと、
前記出力手段が前記演算手段による演算結果（姓名判断パラメータ）を出力するステップと、
を備えた姓名判断パラメータに関する計算装置の動作方法。
【請求項２】
前記の姓名判断パラメータには、内面ツキ数、外面ツキ数、内面神助数、外面神助数、内面自助数及び外面自助数があり、該姓名判断パラメータの種類と画数演算手段、基本数演算手段及び制御手段とを予め関連付けておき、姓名判断パラメータの種類に応じて関連付けられた画数演算手段、基本数演算手段及び制御手段がそれぞれ姓名判断パラメータを計算し、十二支配列テーブルに配置・保存することを特徴とする請求項１記載の姓名判断パラメータに関する計算装置の動作方法。
【請求項３】
前記の内面ツキ数は、画数演算ステップ及び基本数変換ステップによって得られた天格、人格、地格、総格からなり、外面ツキ数は、同様に副天格、外格、副地格、総格からなり、これらを十二支配列テーブルの各列に２段に配列する場合において、配置する順序はそれぞれ２種類（「＋」及び「−」）あり、且つ、同列にある内面ツキ数と外面ツキ数の配置順序は一方が「＋」の場合、他方が「−」となり、その逆の場合は配置順序も逆となり、互いに対象的であることを特徴とする請求項２記載の姓名判断パラメータに関する計算装置の動作方法。
【請求項４】
前記十二支配列テーブルにおいて姓名判断パラメータが配置される第１列〜第ｎ列は十二支とそれぞれ対応していて、第１列は生まれ年の十二支に対応し、以下ｎ列まで十二支の並びの順にそれぞれ対応し、前記の姓名判断パラメータが配置される列（第１列〜第ｎ列）は、第１列〜第１２列又は第１列〜第１８列の何れかで構成されることを特徴とする請求項１に記載の姓名判断パラメータに関する計算装置の動作方法。
【請求項５】
前記の姓名判断パラメータ乃至姓名判断パラメータの組み合わせ（以下姓名判断パラメータ等と称する）と運勢の吉凶等データを関連づけたテーブルを格納した記憶装置を備えた前記の計算装置において、制御手段が前記テーブル中に格納された姓名判断パラメータ等を呼び出すと共に求項１〜４の何れかに記載の姓名判断パラメータの計算装置の動作方法によって得られた姓名判断パラメータ等と比較照合して、一致する姓名判断パラメータ等を選択し、該姓名判断パラメータ等と関連づけられた運勢の吉凶等データを抽出し、前記出力手段が抽出された運勢の吉凶等データを出力することを特徴とする姓名判断方法。
【発明の詳細な説明】
【技術分野】  本発明は、姓名判断に使用する姓名判断パラメータ、特に姓名の画数と生まれ年の十二支を組み合わせた姓名判断パラメータに関する計算装置（コンピューター）の動作方法に関する。
【背景技術】  従来、コンピューターを利用した名付けシステム、姓名占い等に関する発明として、例えば、特開２００２−１１７１２９号公報、特開２００２−１０９０２２号公報、特開２００１−３３１５７３号公報、特開平６−２０２９９１号公報に記載の発明がある。これらはインターネットを利用して、姓名の画数を入力すれば、その姓名に関する吉凶が即座に画面に表示され、姓名判断に関する専門知識がなくてもだれでも簡単にゲーム感覚で楽しむことができるものである。
しかし、前記の姓名判断システム等は簡単にゲーム感覚で楽しむことができる反面、判断の正確性に欠ける点で問題がある。従来の姓名学は姓名の文字の画数に基づいて、天格、地格、人格、外格、総画からなる姓名の五格と、天格、地格、人格からなる姓名の三才とを組み合わせ、これらの相互作用から運勢の吉凶を判断するものであった。もともと姓名は人の誕生後に名付けられ改名によって変わるものであるのに対し、誕生年月日乃至誕生十二支はもともとその人に生まれつきのものであり、中国から伝来された九星学において年数霊と年の中宮、年の破、年のツキ数と深い関係があり、この誕生年月日乃至誕生十二支を従来の姓名学に取り込むことによって初めてその人の正確な運勢の吉凶すなわち「ツキ」を見出することができるのである。しかし、これらの関係は複雑を極め、両者の相互関係を体系化することが望まれていた。
【発明の開示】
前記の問題点を解消するために、本願発明者は長年姓名学に専念し、姓名と誕生年月日乃至誕生十二支との相互関係について鋭意研究した結果、運勢の吉凶すなわち「ツキ」を支配する所謂姓名判断パラメータを見出したのである。本発明は、これら姓名判断パラメータを体系化するとともに、コンピューターを利用して計算し表形式に出力する計算装置の動作方法を提供することを主たる目的とするものである。
前記の課題を解決するために、本発明は、姓名情報及び生年月日情報を入力する入力手段と、
前記姓名情報及び生年月日情報から各種の姓名判断パラメータを計算する画数演算手段及び基本数演算手段と、
十二支配列テーブルを記憶する記憶装置及び十二支配列選択手段と、
前記の十二支配列テーブルの所定位置に姓名判断パラメータを配置・保存する制御手段と、
前記の姓名判断パラメータを出力する出力手段と、
を備えた姓名判断パラメータに関する計算装置の動作方法であって、
前記画数演算手段が入力手段によって入力された姓名情報から各画数を計算する画数演算ステップと、
前記基本数演算手段が前記の各画数を１〜９の整数からなる基本数に変換して姓名判断パラメータを得る基本数変換ステップと、
前記十二支配列選択手段が記憶装置に記憶されている十二支配列テーブルを読み出し、入力された生年月日に対応する十二支配列テーブルを選択する十二支配列選択ステップと、
前記制御手段が選択された十二支配列テーブルに、前記基本数変換ステップで得られた姓名判断パラメータを配置・保存するステップと、
前記出力手段が前記演算手段による演算結果（姓名判断パラメータ）を出力するステップと、
を備えた姓名判断パラメータに関する計算装置の動作方法とする（請求項１）。
前記の課題を解決するために、本発明は、前記の姓名判断パラメータには、内面ツキ数、外面ツキ数、内面神助数、外面神助数、内面自助数及び外面自助数があり、該姓名判断パラメータの種類と画数演算手段、基本数演算手段及び制御手段とを予め関連付けておき、姓名判断パラメータの種類に応じて関連付けられた画数演算手段、基本数演算手段及び制御手段がそれぞれ姓名判断パラメータを計算し、十二支配列テーブルに配置・保存することを特徴とする請求項１記載の姓名判断パラメータに関する計算装置の動作方法とすることが好ましい（請求項２）。
前記の課題を解決するために、本発明は、前記の内面ツキ数は、画数演算ステップ及び基本数変換ステップによって得られた天格、人格、地格、総格からなり、外面ツキ数は、同様に副天格、外格、副地格、総格からなり、これらを十二支配列テーブルの各列に２段に配列する場合において、配置する順序はそれぞれ２種類（「＋」及び「−」）あり、且つ、同列にある内面ツキ数と外面ツキ数の配置順序は一方が「＋」の場合、他方が「−」となり、その逆の場合は配置順序も逆となり、互いに対象的であることを特徴とする請求項２記載の姓名判断パラメータに関する計算装置の動作方法とすることが好ましい（請求項３）。
前記の課題を解決するために、本発明は、前記十二支配列テーブルにおいて姓名判断パラメータが配置される第１列〜第ｎ列は十二支とそれぞれ対応していて、第１列は生まれ年の十二支に対応し、以下ｎ列まで十二支の並びの順にそれぞれ対応し、前記の姓名判断パラメータが配置される列（第１列〜第ｎ列）は、第１列〜第１２列又は第１列〜第１８列の何れかで構成されることを特徴とする請求項１に記載の姓名判断パラメータに関する計算装置の動作方法とすることが好ましい（請求項４）。
前記の課題を解決するために、本発明は、前記の姓名判断パラメータ乃至姓名判断パラメータの組み合わせ（以下姓名判断パラメータ等と称する）と運勢の吉凶等データを関連づけたテーブルを格納した記憶装置を備えた前記の計算装置において、制御手段が前記テーブル中に格納された姓名判断パラメータ等を呼び出すと共に求項１〜４の何れかに記載の姓名判断パラメータの計算装置の動作方法によって得られた姓名判断パラメータ等と比較照合して、一致する姓名判断パラメータ等を選択し、該姓名判断パラメータ等と関連づけられた運勢の吉凶等データを抽出し、前記出力手段が抽出された運勢の吉凶等データを出力することを特徴とする姓名判断方法とすることが好ましい（請求項５）。
【図面の簡単な説明】  第１図は本発明の実施の形態に係る外面姓名判断パラメータに関する計算装置の動作方法を示すフローチャートである。
第２図は本発明の実施の形態に係る内面姓名判断パラメータに関する計算装置の動作方法を示すフローチャートである。
第３図は本発明の実施の形態に係る姓名判断パラメータに関する計算装置を示すブロック図である。
第４図は本発明の実施の形態に係る姓名判断パラメータに関する計算装置の動作方法を実行して出力された姓名判断パラメータを例示する一覧表である。
第５図は本発明の実施の形態に係る姓名判断パラメータに関する計算装置の動作方法における基本数変換ステップを示すフローチャートである。
第６図は本発明の実施の形態に係る姓名判断パラメータの配置態様を示す説明図である。
【発明を実施するための最良の形態】  本発明の実施の形態を以下の１）〜６）に例示する。次に、本発明の実施の形態について図を参照して説明する。しかし、本願発明はかかる発明の実施の形態によって限定されるものではない。
１）「姓名乃至姓名の画数及び必要に応じて生年月日乃至生まれ年に対応する十二支を入力する入力手段、
前記姓名の画数から各種の姓名判断パラメータを計算する演算手段、
前記生年月日乃至十二支に対応するパラメータの配置態様を記憶する記憶手段、
前記姓名判断パラメータを表形式に表示する出力手段を備えた姓名判断パラメータの計算装置の動作方法であって、
前記入力手段によって入力された姓名乃至姓名の画数に基づいて演算手段によって天格を計算する天格計算ステップと、
前記入力手段によって入力された姓名乃至姓名の画数に基づいて演算手段によって人格を計算する人格計算ステップと、
前記入力手段によって入力された姓名乃至姓名の画数に基づいて演算手段によって地格を計算する地格計算ステップと、
前記入力手段によって入力された姓名乃至姓名の画数に基づいて演算手段によって総格を計算する総格計算ステップと、
前記入力手段によって入力された姓名乃至姓名の画数に基づいて演算手段によって外格を計算する外格計算ステップと、
前記によって求めた天格、人格、地格、総格の数をそれぞれ前記演算手段によって１〜９の数からなる基本数に変換する基本数変換ステップと、
前記によって求めた天格、人格、地格、総格に対応する各基本数からなる姓名判断パラメータ（第１内面ツキ数）を前記の記憶手段によって記憶されたパラメータの配置態様に従って第１列の適宜位置に配置するステップと、
前記の第１列に配置された各第１内面ツキ数を基にして、前記の天格計算ステップ乃至総格計算ステップ及び基本数変換ステップの各ステップを順次経て各姓名判断パラメータ（第２内面ツキ数）を得るステップと、
前記によって求めた第２内面ツキ数を前記の記憶手段によって記憶されたパラメータの配置態様に従って第２列の適宜位置に配置するステップと、
以下前記第２内面ツキ数を求めるステップに準じて十二支の順番に従って基本数からなる各姓名判断パラメータ（第３〜ｎ内面ツキ数）を順に求め、その十二支に対応するパラメータの配置態様に従って第３列〜第ｎ列の適宜位置に順次配置するステップと、
前記によって配置された姓名判断パラメータ（内面ツキ数）を前記の出力手段によって表形式に表示するステップを含む姓名判断パラメータの計算装置の動作方法。」
２）「前記の姓名判断パラメータの計算装置の動作方法において、外格計算ステップによって求めた外格から人格計算ステップによって求めた人格を演算手段によって差し引くステップと、
前記ステップによって得られた数を前記演算手段によって１〜９の数からなる基本数に変換する基本数変換ステップと、
前記ステップによって得られた基本数からなる姓名判断パラメータ（第１内面神助数）を第１列の適宜位置に配置するステップと、
前記ステップによって得られた第１内面神助数を演算手段によって２倍した数に請求項１記載の地格を計算する地格計算ステップによって得られた地格を演算手段によって加算するステップと、
前記ステップによって得られた数を前記演算手段によって１〜９の数からなる基本数に変換する基本数変換ステップと、
前記ステップによって得られた基本数からなる姓名判断パラメータ（第２内面神助数）を第２列の適宜位置に配置するステップと、
以下前記第２内面神助数を求めるステップに準じて基本数からなる姓名判断パラメータ（第３〜ｎ内面神助数）を順次求めて第３列〜第ｎ列の適宜位置に順次配置するステップと、
前記によって配置された各基本数からなる姓名判断パラメータ（内面神助数）を前記の出力手段によって表形式に表示するステップを含む姓名判断パラメータの計算装置の動作方法。」
３）「前記の姓名判断パラメータの計算装置の動作方法において、地格計算ステップによって求めた地格に前記２）の姓名判断パラメータの計算装置の動作方法における「姓名判断パラメータを第１列の適宜位置に配置するステップ」によって求めた姓名判断パラメータ（第１内面神助数）を演算手段によって加えるステップと、
前記ステップによって得られた数を前記演算手段によって１〜９の数からなる基本数に変換する基本数変換ステップと、
前記ステップによって得られた基本数からなる姓名判断パラメータ（第１内面自助数）を第１列に配置するステップと、
前記１）の第１列の適宜位置に配置するステップによって配置された地格と前記の姓名判断パラメータ（第１内面自助数）を演算手段によって加えるステップと、
前記ステップによって得られた数を前記演算手段によって１〜９の数からなる基本数に変換する基本数変換ステップと、
前記ステップによって得られた基本数からなる姓名判断パラメータ（第２内面自助数）を第２列の適宜位置に配置するステップと、
以下前記第２内面自助数を求めるステップに準じて基本数からなる姓名判断パラメータ（第３〜ｎ内面自助数）を順次求めて第３列〜第ｎ列の適宜位置に順次配置するステップと、
前記によって配置された各基本数からなる姓名判断パラメータ（内面自助数）を前記の出力手段によって表形式に表示するステップを含む姓名判断パラメータの計算装置の動作方法。」
４）「姓名乃至姓名の画数及び必要に応じて生年月日乃至生まれ年に対応する十二支を入力する入力手段、
前記姓名の画数から各種の姓名判断パラメータを計算する演算手段、
前記生年月日乃至十二支に対応するパラメータの配置態様を記憶する記憶手段、
前記姓名判断パラメータを表形式に表示する出力手段を備えた姓名判断パラメータの計算装置の動作方法であって、
前記入力手段によって入力された姓名乃至姓名の画数に基づいて演算手段によって副天格を計算する副天格計算ステップと、
前記入力手段によって入力された姓名乃至姓名の画数に基づいて演算手段によって外格を計算する外格計算ステップと、
前記入力手段によって入力された姓名乃至姓名の画数に基づいて演算手段によって副地格を計算する副地格計算ステップと、
前記入力手段によって入力された姓名乃至姓名の画数に基づいて演算手段によって総格を計算する総格計算ステップと、
前記によって求めた副天格、外格、副地格、総格の数をそれぞれ前記演算手段によって１〜９の数からなる基本数に変換する基本数変換ステップと、
前記によって求めた副天格、外格、副地格、総格に対応する各基本数からなる姓名判断パラメータ（第１外面ツキ数）を前記の記憶手段によって記憶されたパラメータの配置態様に従って第１列の適宜位置に配置するステップと、
前記の第１列に配置された各第１外面ツキ数を基にして、前記の副天格計算ステップ乃至総格計算ステップ及び基本数変換ステップの各ステップを順次経て各姓名判断パラメータ（第２外面ツキ数）を得るステップと、
前記によって求めた第２外面ツキ数を前記の記憶手段によって記憶されたパラメータの配置態様に従って第２列の適宜位置に配置するステップと、
以下前記第２外面ツキ数を求めるステップに準じて十二支の順番に従って基本数からなる各姓名判断パラメータ（第３〜ｎ外面ツキ数）を順に求め、その十二支に対応するパラメータの配置態様に従って第３列〜第ｎ列の適宜位置に顕次配置するステップと、
前記によって配置された姓名判断パラメータ（外面ツキ数）を前記の出力手段によって表形式に表示するステップを含む姓名判断パラメータの計算装置の動作方法。」
５）「前記の姓名判断パラメータの計算装置の動作方法において、外格計算ステップによって求めた外格と総格計算ステップによって求めた総格を演算手段によって加えるステップと、
前記ステップによって得られた数を前記演算手段によって１〜９の数からなる基本数に変換する基本数変換ステップと、
前記ステップによって得られた基本数からなる姓名判断パラメータ（第１外面神助数）を第１列の適宜位置に配置するステップと、
請求項４記載の第１列に配置するステップによって配置された外格と総格に対応する第１外面ツキ数をそれぞれ演算手段によって加えるステップと、
前記ステップによって得られた数を前記演算手段によって１〜９の数からなる基本数に変換する基本数変換ステップと、
前記ステップによって得られた基本数からなる姓名判断パラメータ（第２外面神助数）を第２列の適宜位置に配置するステップと、
以下前記第２外面神助数を求めるステップに準じて基本数からなる姓名判断パラメータ（第３〜ｎ外面神助数）を順次求めて第３列〜第ｎ列の適宜位置に順次配置するステップと、
前記によって配置された各基本数からなる姓名判断パラメータ（外面神助数）を前記の出力手段によって表形式に表示するステップを含む姓名判断パラメータの計算装置の動作方法。」
６）「前記の姓名判断パラメータの計算装置の動作方法において、副地格計算ステップによって求めた副地格に第５項記載の「姓名判断パラメータを第１列の適宜位置に配置するステップ」によって求めた姓名判断パラメータ（第１外面神助数）を演算手段によって加えるステップと、
前記ステップによって得られた数を前記演算手段によって１〜９の数からなる基本数に変換する基本数変換ステップと、
前記ステップによって得られた基本数からなる姓名判断パラメータ（第１外面自助数）を第１列の適宜位置に配置するステップと、
第４項記載の第１列の適宜位置に配置するステップによって配置された副地格と前記の姓名判断パラメータ（第１外面自助数）を演算手段によって加えるステップと、
前記ステップによって得られた数を前記演算手段によって１〜９の数からなる基本数に変換する基本数変換ステップと、
前記ステップによって得られた基本数からなる姓名判断パラメータ（第２外面自助数）を第２列の適宜位置に配置するステップと、
以下前記第２外面自助数を求めるステップに準じて基本数からなる姓名判断パラメータ（第３〜ｎ外面自助数）を順次求めて第３列〜第ｎ列の適宜位置に順次配置するステップと、
前記によって配置された各基本数からなる姓名判断パラメータ（第１〜ｎ外面自助数）を前記の出力手段によって表形式に表示するステップを含む姓名判断パラメータの計算装置の動作方法。」
図１は本発明の実施の形態に係る外面姓名判断パラメータに関する計算装置の動作方法を示すフローチャートであり、図２は内面姓名判断パラメータに関する計算装置の動作方法を示すフローチャートであり、図３は本発明の実施の形態に係る姓名判断パラメータに関する計算装置を示すブロック図であり、図４は本発明の実施の形態に係る姓名判断パラメータに関する計算装置の動作方法によって出力された姓名判断パラメータを例示する一覧表であり、図５は本発明の実施の形態に係る姓名判断パラメータに関する計算装置の動作方法における基本数変換ステップを示すフローチャートである。
本発明の実施の形態で扱う姓名判断パラメータの内、内面姓名判断パラメータは、親から受け継がれた誕生年月日のツキ数の遺伝要素を自分の名前でどのようにキャッチし親の期待に応えていくか、その答え（行動・結果）を診断するための要素であり、外面姓名判断パラメータは外的環境、例えば、両親、兄弟姉妹、配偶者、親戚、教師、仕事仲間、スポンサー、経営者等との対人関係だけでなく、事故や誘惑（性的、麻薬、犯罪を含む）に強いか弱いか等を診断するのに使う。内面姓名判断パラメータと外面姓名判断パラメータは表裏一体で運命診断は双方を同時に使用することによってより正確に未来を予知することが可能となる。
図１の入力ステップでは姓名の画数を図４に示す本体の４つのボックスにそれぞれ入力する。上から天２、天１、地１、地２から構成される４つのボックスには姓が２文字、名前が２文字の場合には上から順に納まる。谷、林、岡、関のような１文字姓の場合は天２に数字の１を入力し、天１に１文字姓の画数を入力する。長谷川や勅使河原のような３文字姓以上の場合は姓の最後の１文字の画数を天１に入力し、残りの文字の合計画数を天２に入力する。直や正のように１文字名の場合は地１に１文字名の画数を入力し、地２に数字の１を入力する。純一郎や吉右衛門のように３文字名以上の場合は最初の１文字の画数を地１に入力し、残りの文字の合計画数を地２に入力する。このように姓名の画数を入力する以外に姓名そのものを入力し、４つのボックスに入力する画数を中央演算装置で計算して求めるように構成してもよい。
図１に示す外面姓名判断パラメータに関する計算装置の主な動作方法は、ツキ数計算部Ｓ２、神助数計算部Ｓ３、自助数計算部Ｓ４からなりツキ数計算部Ｓ２の副天格計算ステップＳ２１ａ乃至総格計算ステップＳ２４において、前記の中央演算装置３によって入力された姓名の画数から副天格、外格、副地格、総格の数をそれぞれ計算して求める。ここで、副天格は本体の４つのボックスの天２と地１の画数を加算した数であり、外格は天２と地２の画数を加算した数であり、副地格は天１と地２の画数を加算した数であり、総格は天２、天１、地１及び地２の画数をそれぞれ加算した数である。
基本数変換ステップでは、前記のステップによって求めた副天格、外格、副地格、総格の数を、例えば、図３のブロック図に示す基本数変換プログラムによって図５に示すフローチャートに従って、中央演算装置３によって計算し、１〜９の数からなる基本数に変換する。図５に示すフローチャートによれば、入力された数値が０未満のときは０より大きくなるまで９を加算し、数値が９未満ならその数値が基本数となり、１０以上ならば数値を９で割った余りが基本数となり、余りが０のときは９が基本数となる。係るフローチャートに示す手順を基本数変換プログラムとして図３のブロック図に示す記憶装置２に記憶させておけばよい。
前記の基本数変換ステップを経て得られた副天格、外格、副地格、総格に対応する各基本数が第１内面ツキ数と称する姓名判断パラメータであり、ツキ数配置ステップＳ２７によって、４つの第１内面ツキ数がパラメータの配置態様に従って第１列の適宜位置に配置される。ここで、パラメータの配置態様は４つのパラメータをその列のどの位置に配置するかを決めるもので、通常「＋」乃至「−」のように２種類の配置態様からなり、その列を支配する十二支に特有の「＋」乃至「−」の何れかの配置態様が割り当てられる。例えば、表１は１２列で構成されるパラメータの配置態様における十二支と「＋」乃至「−」の関係を例示したものであり、表２〜表４は１８列で構成されるパラメータの配置態様における十二支と「＋」乃至「−」の関係を例示したものである。
2004025536.tif 000003
2004025536.tif 000004
2004025536.tif 000005
2004025536.tif 000006
2004025536.tif 000007
各列に定められた「＋」乃至「−」によってパラメータが配置される位置は決まっており、図６に示すように「＋」の場合は前列の副天格、外格、副地格、総格に対応する各基本数が次列の天２、天１、地１、地２のボックスにそれぞれ順に入力され、「−」の場合は逆に地２、地１、天１、天２の順にそれぞれのボックスに入力されることとなる。また、「＋」乃至「−」と十二支との関係は一定の法則に従って決定されており、表１乃至表４に示すように配列数が１２列か１８列かによって異なり、また、同じ１８列の構成であっても診断の対象が何かによって異なる。従って、予め姓名判断の対象とパラメータの配置態様を関連づけて何通りか記憶装置２に記憶しておき、何を診断するかを入力して最適のパラメータの配置態様を抽出して選択することも可能である。因みに１８列の構成において、十二支に対応する「＋」と「−」の割り振りはそのままで１〜９列と１０〜１８列に分割してそれぞれ独立に姓名判断パラメータを計算し、それに基づいて各々別々に姓名判断することもできる。前半の１〜９列が健康、性格、結婚などの個人的な運勢に関する判断に関与し、後半の１０〜１８列は、例えば経営者として従業員との関係や社会的活躍の程度等、社会的要因を含む運勢に関する判断に関与する。
次に、神助数計算部Ｓ３と自助数計算部Ｓ４によって神助運と自助運を診断するための要素である神助数と自助数を計算する。神助運と自助運は内面的要素（パラメータ）、外面的要素（パラメータ）のそれぞれ１２列乃至１８列の働きが、その姓名の使用者（持ち主）と密接な関係にあるのか、それとも遊離していて何の効果もないのかを明確に示してくれる。
神助数計算部Ｓ３において、前記ステップによって得た外格と総格を中央演算装置３によって加えた数を基本数変換ステップＳ３２によって基本数に変換して第１外面神助数を求め、これを神助数配置ステップＳ３３によって１列の適宜位置にそれぞれ配置する。更に、第１列以下に配置された外格と総格に対応する外面ツキ数に基づいて前記第１外面神助数を求めたと同様のステップを経て順次外面神助数を求め配置する。
自助数計算部Ｓ４において、前記ステップによって得た副地格に第１外面神助数を中央演算装置３によって加えた数を基本数変換ステップＳ４２によって基本数に変換して第１外面自助数を求め、これを自助数配置ステップＳ４３によって１列の適宜位置にそれぞれ配置する。更に、第１列以下に配置された副地格と第２以下の外面神助数に基づいて前記第１外面自助数を求めたと同様のステップを経て順次外面自助数を求め配置する。前記の各ステップによって得られた各姓名判断パラメータは出力ステップＳ５によって表形式に出力される。
次に図２に示す内面姓名判断パラメータに関する計算装置の動作方法について説明する。図１に示す外面姓名判断パラメータと共通する項目については説明を省略し、異なる項目について説明する。ツキ数計算部Ｓ２における天格は本体の４つのボックスの天２と天１の画数を加算した数であり、人格は天１と地１の画数を加算した数であり、地格は地１と地２の画数を加算した数であり、総格は天２、天１、地１及び地２の画数をそれぞれ加算した数であり、外格は天２と地２の画数を加算した数である。このうちツキ数計算部Ｓ２においては天格、人格、地格、総格を使用し、外格は後述の神助数の計算において使用する。前記の画数の計算以外の基本数変換ステップＳ２６及びツキ数配置ステップＳ２７については前述の外面姓名判断パラメータの説明と重複するので説明を省略する。
次に、神助数計算ステップＳ３１と自助数計算ステップＳ４１について説明する。神助数計算ステップＳ３１では外格から人格を差し引いた数の基本数を第１列の神助数とし、第２列目以降は前列で求めた神助数と自助数を加算した数（前列の神助数×２＋前々列の地格）の基本数をその列の神助数として計算している。また、自助数計算ステップＳ４１では前列で求めた地格にその列の神助数を加算した数の基本数をその列の自助数として計算している。ここで注意すべきことは、前記の外面姓名判断パラメータ及び内面姓名判断パラメータを求める各ステップに共通して言えることであるが、各神助数計算ステップと自助数計算ステップを実行する順序は問わず、更に、外面姓名判断パラメータと内面姓名判断パラメータの実行の先後の順序は問わないことである。また、各種パラメータの計算式は本発明の実施の形態に記載のものに限定されず、計算した結果がほぼ同一の数値が得られるものであれば全て本発明に含まれるべきものである。
図３に示すように、本発明に係る実施の形態の姓名判断パラメータに関する計算装置は、コンピューターを制御するための制御プログラムと画数を計算した数値を１〜９の基本数に変換するための基本数変換プログラムとを記憶するための記憶装置１と、前記の制御プログラム及び基本数変換プログラムに従って姓名判断パラメータを計算するための中央演算装置３と、計算された姓名判断パラメータを配置する位置を決めるためのパラメータの配置態様と姓名判断パラメータを表形式に保存するためのデータテーブルを記憶するための記憶装置２と、姓名乃至姓名の画数及び生年月日乃至生まれ年に対応する十二支を入力する入力手段４と、本計算装置によって求めた姓名判断パラメータを表形式に表示する出力手段５を備える。
本発明の実施の形態においては、十二支配列テーブルが記憶装置に記憶されている。そして、この十二支配列テーブルは、十二支に対応する列に区分され、各列の下に内面ツキ数、外面ツキ数、内面神助数、外面神助数、内面自助数及び外面自助数からなる姓名判断パラメータが配置される位置を表すアドレスが付されている。このアドレスを介して画数や姓名判断パラメータの値が受け渡しされる。このアドレスは、生まれ年の異なる十二支配列テーブルであっても共通のアドレスが付されている。前記の画数や姓名判断パラメータを変数として演算式を構成しておき、十二支配列テーブルの所定のアドレスにある値をこの演算式の変数に代入して、各演算手段が演算を実行した結果を所定のアドレスに保存する。これらの一連の動作は前記の制御プログラムが司るのである。
本発明に係る実施の形態は本発明の好ましい一例であって、この発明に係る実施の形態によって、本発明がいかなる限定を受けるものではなく、本発明に関するさまざまな利用の方法が考えられる。例えば、インターネットを介してサーバーとクライアントで本発明を実行することも可能である。即ち、本発明を実行する基本プログラムをサーバー側の記憶装置に格納しておき、入力手段と出力手段をクライアント側に設け、クライアント側の表計算ソフトを利用して本発明の方法を実行することも可能である。また、本発明で扱う姓名判断パラメータの組み合わせと運勢の吉凶の関係をデータベース化して、係るデータベースをサーバー側の記憶装置２のデータテーブルに格納しておいて、本発明を実行して得られた姓名判断パラメータを前記のデータベースに格納された姓名判断パラメータの組み合わせと比較照合して一致した組み合わせを抽出して、その運勢の吉凶を出力手段によってクライアントに表示することも可能である。
【実施例】  図４は前記の姓名判断パラメータに関する計算装置において、所謂表計算ソフトウェアを利用して姓名判断パラメータを求め表形式に出力した一覧表を例示したものである。図において、上欄は外面姓名判断パラメータを表示し、下欄は内面姓名判断パラメータを表示する。上欄左列の「本体」の下に「１」が４つあり、これは上から天２、天１、地１、地２を表す姓名の画数を入力するための４つのボックスを意味する。その左側の「２」は上から副天格、外格、副地格を表す数字である。４つのボックスの下の「４」は総格を表す。下欄左列の４つのボックスの左側の「２」は外格を表し、右側の「２」は上から天格、人格、地格を表し、４つのボックスの下の「４」は総格を表す。１列以降に配置されている数値についても前記の「本体」列の数値とほぼ同様である。
本図では分かり易くするために４つのボックスには「１」を入力してあるが実際には姓名の画数を入力する。また、漢字をその画数に変換する辞書を記憶装置に記憶させてあるので、姓名を漢字で入力すると、この辞書が画数に変換してくれる。「本体」右側の上欄（外面）及び下欄（内面）１８列には前記第３表に示した「午」〜「亥」の十二支が順に割り振られている。入力された生年月日から第１列目の「午」が姓名判断する人の誕生十二支に相当するように配列された十二支配列テーブルが選択されるのである。本計算装置の表計算ソフトウェアを起動し、所定事項を入力をすると、前記計算装置の動作方法が実行されて十二支の各列に配置される各姓名判断パラメータが求められ、図４に示すような一覧表が得られる。
【発明の効果】
本発明に係る姓名判断パラメータに関する計算装置の動作方法は、誕生年月日乃至誕生十二支を従来の姓名学に取り込み、両者の相互関係を体系化し、運勢の吉凶すなわち「ツキ」を支配する所謂姓名判断パラメータを表形式で出力することができ、この表から運勢の吉凶を正確に判断することができる。従来の単なるゲーム感覚の姓名判断にとどまらず、姓名学に基づく本格的な診断が可能となる。また、本発明の姓名判断パラメータに関する計算装置の動作方法は、コンピューターで専用のプラグラムを作成して実行することができることは言うまでもないが、実施例に示したように表計算ソフトウェアによっても容易に実行可能である。従って、汎用の表計算ソフトウェアを利用すれば、極めて普及度が高く広範囲な使用者の確保が可能となる。
【図１】
2004025536.tif 000008
【図２】
2004025536.tif 000009
【図３】
2004025536.tif 000010
【図４】
2004025536.tif 000011
【図５】
2004025536.tif 000012
【図６】
2004025536.tif 000013
【国際調査報告】
2004025536.tif 000014
2004025536.tif 000015